(57)【特許請求の範囲】
【請求項１】
医用検査装置によって取得された検査画像を読影者が読影する際の読影用照度調整装置であって、
前記検査画像が読影されているか否かを判別する判別手段と、
前記判別手段による判別結果に基づいて、読影環境または非読影環境を調整する調整手段と、
を備えることを特徴とする読影用照度調整装置。
【請求項２】
前記調整手段は、読影環境または非読影環境に対応させて周囲の照明の照度を調整することを特徴とする請求項１記載の読影用照度調整装置。
【請求項３】
前記読影者の動作を検出する動作検出手段と、
前記読影者の読影時に対応する動作画像を記憶する動作画像記憶手段と、を更に備え、
前記判別手段は、前記動作検出手段により検出された読影者の動作と、前記動作画像記憶手段に記憶された動作画像とを比較し、その比較結果に基づいて前記検査画像が読影されているか否かを判別することを特徴とする請求項１または２に記載の読影用照度調整装置。
【請求項４】
前記検査画像の読影時及び非読影時を入力指定する指定手段を更に備え、
前記判別手段は、前記指定手段により入力指定された読影時または非読影時に基づいて、前記検査画像が読影されているか否かを判別することを特徴とする請求項１または２に記載の読影用照度調整装置。
【請求項５】
前記検査画像の読影時及び非読影時に対応するそれぞれのキーワードを記憶するキーワード記憶手段を更に備え、
前記キーワード記憶手段に記憶されているキーワードが音声入力された際に、前記判別手段は、そのキーワードに基づいて、前記検査画像が読影者により読影されているか否かを判別することを特徴とする請求項１または２に記載の読影用照度調整装置。
【請求項６】
前記読影者の目の動きから視線を検出する視線検出手段を更に備え、
前記判別手段は、前記視線検出手段により検出された視線に基づいて、前記検査画像が読影者により読影されているか否かを判別することを特徴とする請求項１または２に記載の読影用照度調整装置。
【請求項７】
前記照明の照度の調整範囲、及び変化度合いを記憶する照度記憶手段を更に備え、
前記調整手段は、前記照度記憶手段により記憶された前記照明の照度の調整範囲、及び変化度合いに基づいて、読影環境または非読影環境を調整することを特徴とする請求項１〜６の何れかに記載の読影用照度調整装置。
【請求項８】
前記読影者を判別する読影者判別手段を更に備え、
前記調整手段は、前記読影者判別手段により判別された読影者に応じて、読影環境または非読影環境を変化させることを特徴とする請求項１〜７の何れかに記載の読影用照度調整装置。
【発明の詳細な説明】
【０００１】
【発明の属する技術分野】
本発明は、医用検査装置によって取得された検査画像を読影する際に使用される読影用照度調整装置に関する。
【０００２】
【従来の技術】
人々の健康状態を検査する医用検査装置として、Ｘ線（レントゲン、ＣＴ）検査装置、ＭＲＩ（磁気共鳴画像）検査装置等が知られている。これらの医用検査装置は、それぞれの検査方法により画像を撮影する。そして、この撮影により取得された検査画像は、モニタ等の画像表示装置により表示され、読影者（医者）によって読影される。また、これに基づいて診断が下される。
【０００３】
このとき、検査画像を表示する画像表示装置の表示輝度は、周囲の明るさによらず一定に設定されるか、または周囲の明るさに応じて変更される。
【０００４】
【発明が解決しようとする課題】
しかしながら、検査画像を表示する画像表示装置は、読影時の周囲の明るさに応じて見え方が変化するので、上述のように、表示輝度を周囲の明るさによらず一定に設定すると、検査画像が見づらくなることがあった。このため、読影者（医者）は、常に見やすい安定した状態で読影することができず、誤診する可能性があった。
【０００５】
この場合、周囲を常に暗くしておけば、読影に適した状態を作り出せるが、読影による診断結果のカルテへの書き込みや読影時及び診断時に使用する関連データの確認等がしづらくなるため、診断が効率的に行えないという問題がある。
【０００６】
また、上述のように、検査画像を表示する画像表示装置の表示輝度を周囲の明るさに応じて変更すると、安定した明るさで検査画像を読影することができないため、検査画像が見づらくなることがあった。このため、読影者（医者）は、誤診する可能性があった。
【０００７】
本発明の課題は、医用検査装置によって取得された検査画像が診断しやすい環境を提供することである。
【０００８】
【課題を解決するための手段】
本発明は、上記課題を解決するために、以下の様な特徴を備えている。
【０００９】
請求項１記載の発明は、
医用検査装置によって取得された検査画像を読影者が読影する際の読影用照度調整装置であって、
前記検査画像が読影されているか否かを判別する判別手段と、
前記判別手段による判別結果に基づいて、読影環境または非読影環境を調整する調整手段と、
を備えることを特徴としている。
【００１０】
請求項１記載の発明によれば、医用検査装置によって取得された検査画像の読影時及び非読影時に読影環境または非読影環境を調整する。したがって、読影時には、読影に最適な安定した環境を提供することができ、読影者（医者）による誤診の可能性を極力減らすことができる。また、非読影時には、読影による診断結果のカルテへの書き込みや読影時及び診断時に使用する関連データの確認等をしやすい環境を提供でき、読影者（医者）による診断を効率的に行えるようにすることができる。また、読影時に中座する場合等には非読影時として対応できるため、周囲の照明の照度が低い状態で歩行せずにすむという利点がある。また、読影時には常に最適な環境を提供できるので、例えば、検査画像を表示する画像表示装置の表示輝度を読影時及び非読影時に調整し直す必要がなくなり、安定した読影環境で検査画像を読影することができる。
【００１１】
請求項２記載の発明は、
前記調整手段は、読影環境または非読影環境に対応させて周囲の照明の照度を調整することを特徴としている。
【００１２】
請求項２記載の発明によれば、医用検査装置によって取得された検査画像の読影時には、読影環境に対応させて周囲の照明の照度を調整し、非読影時には非読影環境に対応させて周囲の照明の照度を調整する。したがって、読影時には、最適な読影環境（照度）を提供することができ、読影者（医者）による誤診の可能性を極力減らすことができる。また、非読影時には、読影による診断結果のカルテへの書き込みや読影時及び診断時に使用する関連データの確認等に最適な非読影環境（照度）を提供でき、読影者（医者）による診断を効率的に行えるようにすることができる。また、読影時に中座する場合等は、非読影時として対応できるため、周囲の照明の照度が低い状態で歩行せずにすむという利点がある。また、読影時の周囲の照明の照度を一定に設定できるので、検査画像を表示する画像表示装置の表示輝度と周囲の照度に合わせて調整する必要がなくなり、安定した明るさで検査画像を読影することができる。
【００１３】
請求項３記載の発明は、請求項１または２に記載の読影用照度調整装置において、
前記読影者の動作を検出する動作検出手段と、
前記読影者の読影時に対応する動作画像を記憶する動作画像記憶手段と、を更に備え、
前記判別手段は、前記動作検出手段により検出された読影者の動作と、前記動作画像記憶手段に記憶された動作画像とを比較し、その比較結果に基づいて前記検査画像が読影されているか否かを判別することを特徴としている。
【００１４】
請求項３記載の発明によれば、読影者の動作と、読影時に対応する動作画像とを比較し、比較結果に基づいて検査画像が読影されているか否かを判別するので、読影者による特別な操作を必要とせずに、読影時と非読影時の判別が容易に行える。
【００１５】
請求項４記載の発明は、請求項１または２に記載の読影用照度調整装置において、
前記検査画像の読影時及び非読影時を入力指定する指定手段を更に備え、
前記判別手段は、前記指定手段により入力指定された読影時または非読影時に基づいて、前記検査画像が読影されているか否かを判別することを特徴としている。
【００１６】
請求項４記載の発明によれば、読影時または非読影時が入力指定されることにより、検査画像が読影されているか否かを判別するので、読影時と非読影時の判別が容易に行える。
【００１７】
請求項５記載の発明は、請求項１または２に記載の読影用照度調整装置において、
前記検査画像の読影時及び非読影時に対応するそれぞれのキーワードを記憶するキーワード記憶手段を更に備え、
前記キーワード記憶手段に記憶されているキーワードが音声入力された際に、前記判別手段は、そのキーワードに基づいて、前記検査画像が読影者により読影されているか否かを判別することを特徴としている。
【００１８】
請求項５記載の発明によれば、音声入力された読影時及び非読影時に対応するキーワードに基づいて、検査画像が読影されているか否かを判別するので、読影時と非読影時の判別が容易に行える。
【００１９】
請求項６記載の発明は、請求項１または２に記載の読影用照度調整装置において、
前記読影者の目の動きから視線を検出する視線検出手段を更に備え、
前記判別手段は、前記視線検出手段により検出された視線に基づいて、前記検査画像が読影者により読影されているか否かを判別することを特徴としている。
【００２０】
請求項６記載の発明によれば、読影者の目の動きから検出された視線に基づいて、検査画像が読影されているか否かを判別するので、読影時と非読影時の判別が容易に行える。
【００２１】
請求項７記載の発明は、請求項１〜６の何れかに記載の読影用照度調整装置において、
前記照明の照度の調整範囲、及び変化度合いを記憶する照度記憶手段を更に備え、
前記調整手段は、前記照度記憶手段により記憶された前記照明の照度の調整範囲、及び変化度合いに基づいて、読影環境または非読影環境を調整することを特徴としている。
【００２２】
請求項７記載の発明によれば、照明の照度の調整範囲、及び変化度合いに基づいて、読影環境または非読影環境を調整するので、例えば、周囲(読影室)の壁の色等に応じて読影環境を変更できる。また、例えば、読影者（医者）毎に、読影環境及び非読影環境を記憶することにより、読影者（医者）の目の特性等によって、最適な読影環境または非読影環境が異なる場合にも対応できる。
【００２３】
請求項８記載の発明は、請求項１〜７の何れかに記載の読影用照度調整装置において、
前記読影者を判別する読影者判別手段を更に備え、
前記調整手段は、前記読影者判別手段により判別された読影者に応じて、読影環境または非読影環境を変化させることを特徴としている。
【００２４】
請求項８記載の発明によれば、読影者に応じて読影環境または非読影環境を変化させるので、例えば、読影者（医者）の目の特性等によって、最適な読影環境または非読影環境が異なる場合にも対応できる。
【００２５】
【発明の実施の形態】
以下、図１〜図２を参照して、本発明を適用した読影用照度調整装置１００の実施の形態を詳細に説明する。この読影用照度調整装置１００は、医用検査装置によって取得された検査画像をモニタ等の画像表示装置に表示させて、読影者（医者）が読影を行う際の環境（例えば、読影室等の周囲の照明の照度）を調整する。
【００２６】
まず、構成を説明する。
図１は、読影用照度調整装置１００の全体構成を示すブロック図である。
図１において、読影用照度調整装置１００は、照明調整用コントローラ１、監視カメラ２、照明装置３、及び自動カーテン４により構成されており、照明調整用コントローラ１と各部２〜４とはケーブルにより接続されている。
【００２７】
照明調整用コントローラ１は、図示しないが、ＣＰＵ、ＲＯＭ、ＲＡＭ等を備えて構成され、ＣＰＵは、ＲＯＭに格納された基本制御プログラムに基づいて、読影用照度調整装置１００の各部を制御する。
【００２８】
また、照明調整用コントローラ１は、ＲＯＭに記憶されている読影時や非読影時の照明の照度の調整範囲及び明暗の変化度合いに基づいて、照明装置３や自動カーテン４を制御する。
【００２９】
詳述すると、照明調整用コントローラ１は、監視カメラ２から入力される画像データをＲＡＭに格納し、ＲＯＭに格納されている読影時／非読影時判定用画像データ１ａと比較し、比較結果に基づいて画像表示装置に表示された検査画像が読影されているか否かを判別する。
つまり、照明調整用コントローラ１は、判別手段としての機能を有している。
【００３０】
ここで、画像表示装置に表示された検査画像が読影されていると判別すると、照明調整用コントローラ１は、ＲＯＭに記憶されている読影時の照度に基づいて、通常電流よりも低い電流を照明装置３に供給し、照明装置３の照度を低くするとともに、自動カーテン４に制御信号を出力して自動カーテン４の開閉状態を‘閉状態’に設定し、照度を調整する。
【００３１】
また、ここで、画像表示装置に表示された検査画像が読影されていない（つまり、読影による診断結果のカルテへの書き込み、読影時及び診断時に使用する関連データの確認、中座等が行われている）と判別すると、照明調整用コントローラ１は、ＲＯＭに記憶されている非読影時の照度に基づいて、照明装置３に通常電流を供給し照明装置３の照度を通常値にするとともに、自動カーテン４に制御信号を出力して自動カーテン４の開閉状態を‘開状態’に設定し、照度を調整する。
つまり、照明調整用コントローラ１は、調整手段としての機能を有している。
【００３２】
ＲＯＭは、読影時／非読影時判定用画像データ１ａ、読影時や非読影時の照明の照度の調整範囲及び明暗の変化度合い、読影用照度調整装置１００の動作を制御するための基本制御プログラム、及び各種データ等を記憶している。
つまり、ＲＯＭは照度記憶手段としての機能を有している。
【００３３】
ここで、読影時／非読影時判定用画像データ１ａは、例えば、検査画像が表示されている画像表示装置に読影者が向かっている画像等の読影時を示す画像データである。
つまり、読影時／非読影時判定用画像データ１ａは、動作画像記憶手段としての機能を有している。
【００３４】
また、読影時や非読影時の照明の照度の調整範囲及び明暗の変化度合いとしては、例えば、照明装置３を制御する電流値が設定されている。本実施例では、非読影時の照明の照度として、通常電流値が設定され、読影時の照明の照度として、通常電流よりも低い電流値が設定されている。
【００３５】
ＲＡＭは、ＣＰＵによって実行される各種処理においてＲＯＭから取得されるプログラム、読影時／非読影時判定用画像データ１ａ、監視カメラ２により取得される画像データ、処理データ等を一時格納するワークメモリエリアを有する。
【００３６】
監視カメラ２は、図示しない光学レンズとＣＣＤ（Charge Coupled Device）ユニット等により構成され、所定範囲の監視領域の画像を光学レンズによりＣＣＤユニットの素子上に結像させる。そして、ＣＣＤユニットにより、素子上に結像された画像を所定の映像信号（画像データ）に変換し、照明調整用コントローラ１に出力する。
また、この監視カメラ２は、検査画像が表示された画像表示装置の近辺に設置される。
つまり、監視カメラ２は、動作検出手段としての機能を有している。
【００３７】
照明装置３は、複数の白熱電球等を備えており、照明調整用コントローラ１により供給される電流に応じてその照度が調整される。
【００３８】
自動カーテン４は、照明調整用コントローラ１から入力される制御信号によって、その開閉状態が‘開状態’または‘閉状態’に制御される。
【００３９】
次に動作を説明する。
図２は、照明調整用コントローラ１により実行される照明調整処理の流れを示すフローチャートである。
【００４０】
図２において、照明調整用コントローラ１は、監視カメラ２から入力される画像データをＲＡＭに格納し（ステップＳ１）、ＲＯＭに格納されている読影時／非読影時判定用画像データ１ａと比較し、その比較結果に基づいて、画像表示装置に表示された検査画像が読影されているか否かを判別する（ステップＳ２）。
【００４１】
照明調整用コントローラ１は、画像表示装置に表示された検査画像が読影されていると判別すると（ステップＳ２；読影時）、ＲＯＭに記憶されている読影時の照度に基づいて、通常電流よりも低い電流を照明装置３に供給し、照明装置３の照度を低くするとともに、自動カーテン４に制御信号を出力して自動カーテン４の開閉状態を‘閉状態’に設定し、照度を調整する（ステップＳ３）。そして、ステップＳ１に戻り、照明調整用コントローラ１は、監視カメラ２から入力される画像データに基づいて読影時または非読影時を判別し、処理を続行する。
【００４２】
また、照明調整用コントローラ１は、監視カメラ２から取得した画像データと、ＲＯＭに格納されている読影時／非読影時判定用画像データ１ａが類似していない場合に、画像表示装置に表示された検査画像が読影されていない（つまり、読影による診断結果のカルテへの書き込み、読影時及び診断時に使用する関連データの確認、中座等が行われている）と判別する（ステップＳ２；非読影時）。そして、照明調整用コントローラ１は、ＲＯＭに記憶されている非読影時の照度に基づいて、照明装置３に通常電流を供給し照明装置３の照度を通常値にするとともに、自動カーテン４に制御信号を出力して自動カーテン４の開閉状態を‘開状態’に設定し、照度を調整する（ステップＳ４）。そして、ステップＳ１に戻り、照明調整用コントローラ１は、監視カメラ２から入力される画像データに基づいて読影時または非読影時を判別し、処理を続行する。
【００４３】
以上のように、照明調整用コントローラ１は、監視カメラ２により取得した画像データに基づいて、読影時及び非読影時を判別し、読影時に、ＲＯＭに記憶されている読影時または非読影時の照度に基づいて、照明調整用コントローラ１は、読影時に、照明装置３の照度を落とすとともに、自動カーテン４に制御信号を出力してその開閉状態を‘閉状態’に設定し、照度を調整する。また、非読影時に、照明装置３の照度を通常の照度にするとともに、自動カーテン４に制御信号を出力してその開閉状態を‘開状態’に設定し、照度を調整する。
【００４４】
したがって、読影時には、照明装置３の照度を落とすとともに自動カーテン４を閉めるので、読影に最適な安定した環境を提供することができ、読影者（医者）による誤診の可能性を極力減らすことができる。
【００４５】
また、非読影時には、照明装置３を通常の照度にするとともに自動カーテン４を開けるので、読影による診断結果のカルテへの書き込みや読影時及び診断時に使用する関連データの確認等をしやすい環境を提供でき、読影者（医者）による診断を効率的に行えるようにすることができる。また、読影時に中座する場合等には非読影時として対応できるため、周囲の照明の照度が低い状態で歩行せずにすむという利点がある。
【００４６】
また、読影時の周囲の照明の照度を一定に設定できるので、検査画像を表示する画像表示装置の表示輝度を周囲の明るさに応じて変更する必要がなくなり、安定した明るさで検査画像を読影することができる。このため、検査画像が常に見やすい状態で読影者（医者）は読影を行うことができるので、誤診の可能性を極力減らすことができる。
【００４７】
なお、本実施の形態では、監視カメラ２により取得された画像データに基づいて、読影者（医者）が読影しているか否かを判別したが、これに限定されない。例えば、検査画像の読影時及び非読影時をスイッチやキーボード等の入力装置により読影者（医者）から入力指定させることとし、この入力装置から入力指定された読影時または非読影時に基づいて、読影者（医者）が読影しているか否かを判別することとしてもよい。このとき、入力装置は、指定手段としての機能を有することとなる。
また、例えば、マイク等の音声入力装置から音声入力された‘読影開始’、‘読影終了’等のキーワードに基づいて、読影者（医者）が読影しているか否かを判別することとしてもよい。この場合は、照明調整用コントローラ１のＲＯＭにキーワードを記憶させておけばよい。このとき、照明調整用コントローラ１のＲＯＭはキーワード記憶手段としての機能を有することとなる。
また、監視カメラ２により取得された読影者（医者）の目の動きから視線を検出することとし、読影者（医者）の視線に基づいて読影者（医者）が読影しているか否かを判別することとしてもよい。このとき、監視カメラ２は、視線検出手段としての機能を有することとなる。
【００４８】
また、ＲＯＭに記憶する読影時や非読影時の照明の照度の調整範囲及び明暗の変化度合いは、例えば、読影室の壁の色等に応じて変更することとしてもよい。
【００４９】
また、ＲＯＭは、読影者（医者）毎に、読影時や非読影時の照明の照度を記憶することとしてもよい。これにより、読影者（医者）の目の特性等によって、見やすい照度が異なる場合にも対応できる。
また、照明調整用コントローラ１は、このときの読影者（医者）の識別を入力装置から入力されたユーザＩＤ等により行うこととしてもよい。また、これに限定されず、監視カメラ２により取得された顔、指紋、眼球、耳の形等の画像データや音声入力装置から音声入力されたキーワード、声紋等の音声データを認識ソフトを用いて識別することとしてもよい。この場合は、複数の読影者（医者）の顔、指紋、眼球、耳の形等の画像データやキーワード、声紋等の音声データをＤＢに登録しておけばよい。
つまり、照明調整用コントローラ１は、読影者判別手段としての機能を有することとなる。
【００５０】
また、周囲の照明の照度とともに、モニタの輝度を変化させることとしてもよい。
【００５１】
また、読影時／非読影時判定用画像データ１ａは、静止画としてもよく、動画としてもよい。
【００５２】
また、本発明は、上記実施の形態の内容に限定されるものではなく、本発明の主旨を逸脱しない範囲で適宜変更可能である。
【００５３】
【発明の効果】
請求項１記載の発明によれば、読影時には、読影に最適な安定した環境を提供することができ、読影者（医者）による誤診の可能性を極力減らすことができる。また、非読影時には、読影による診断結果のカルテへの書き込みや読影時及び診断時に使用する関連データの確認等をしやすい環境を提供でき、読影者（医者）による診断を効率的に行えるようにすることができる。また、読影時に中座する場合等には非読影時として対応できるため、周囲の照明の照度が低い状態で歩行せずにすむという利点がある。また、読影時には常に最適な環境を提供できるので、例えば、検査画像を表示する画像表示装置の表示輝度を読影時及び非読影時に調整し直す必要がなくなり、安定した読影環境で検査画像を読影することができる。
【００５４】
請求項２記載の発明によれば、読影時には、最適な読影環境（照度）を提供することができ、読影者（医者）による誤診の可能性を極力減らすことができる。また、非読影時には、読影による診断結果のカルテへの書き込みや読影時及び診断時に使用する関連データの確認等に最適な非読影環境（照度）を提供でき、読影者（医者）による診断を効率的に行えるようにすることができる。また、読影時に中座する場合等は、非読影時として対応できるため、周囲の照明の照度が低い状態で歩行せずにすむという利点がある。また、読影時の周囲の照明の照度を一定に設定できるので、検査画像を表示する画像表示装置の表示輝度と周囲の照度に合わせて調整する必要がなくなり、安定した明るさで検査画像を読影することができる。
【００５５】
請求項３記載の発明によれば、読影者による特別な操作を必要とせずに、読影時と非読影時の判別が容易に行える。
【００５６】
請求項４記載の発明によれば、読影時または非読影時が入力指定されることにより、読影時と非読影時の判別が容易に行える。
【００５７】
請求項５記載の発明によれば、音声入力された読影時及び非読影時に対応するキーワードに基づいて、読影時と非読影時の判別が容易に行える。
【００５８】
請求項６記載の発明によれば、読影者の目の動きから検出された視線に基づいて、読影時と非読影時の判別が容易に行える。
【００５９】
請求項７記載の発明によれば、例えば、周囲(読影室)の壁の色等に応じて読影環境を変更できる。また、例えば、読影者（医者）毎に、読影環境及び非読影環境を記憶することにより、読影者（医者）の目の特性等によって、最適な読影環境または非読影環境が異なる場合にも対応できる。
【００６０】
請求項８記載の発明によれば、読影者に応じて読影環境または非読影環境を変化させるので、例えば、読影者（医者）の目の特性等によって、最適な読影環境または非読影環境が異なる場合にも対応できる。
【図面の簡単な説明】
【図１】読影用照度調整装置１００の全体構成を示すブロック図である。
【図２】照明調整用コントローラ１により実行される照明調整処理の流れを示すフローチャートである。
【符号の説明】
１    照明調整用コントローラ
１ａ  読影時／非読影時判定用画像データ
２    監視カメラ
３    照明装置
４    自動カーテン
１００  読影用照度調整装置
【図１】
0004000850.tif 000002
【図２】
0004000850.tif 000003